(57)【要約】【課題】接続相手である無線通信装置からの応答があるまで、問い合わせメッセージ送信の開始／終了の制御を行うことにより、消費電力を低減する、無線通信装置を提供することを目的とする。【解決手段】１台のマスタ無線装置と少なくとも１台のスレーブ無線装置から構成される無線通信システムで無線接続する無線通信装置において、電源投入後、無線接続相手が確認されるまでの間、一定時間間隔で、問い合わせメッセージ送信動作状態またはページメッセージ送信動作状態と、無動作状態とを切り替える手段を有する。【選択図】　図５
2004072653.tif 000002
【特許請求の範囲】
【請求項１】
１台のマスタ無線装置と少なくとも１台のスレーブ無線装置から構成される無線通信システムで無線接続する無線通信装置において、
電源投入後、無線接続相手が確認されるまでの間、一定時間間隔で、問い合わせメッセージ送信動作状態またはページメッセージ送信動作状態と、無動作状態とを切り替える手段を有することを特徴とする無線通信装置。
【請求項２】
前記問い合わせメッセージ送信動作状態、前記ページメッセージ送信動作状態、および前記無動作状態を表示する表示手段を有することを特徴とする請求項１に記載の無線通信装置。
【請求項３】
１台のマスタ無線装置と少なくとも１台のスレーブ無線装置から構成される無線通信システムで無線接続する無線通信装置において、
電源投入後、無線接続相手が確認されるまでの間、一定時間間隔で問い合わせメッセージ送信動作状態と問い合わせスキャン動作状態とを切り替え、またはページメッセージ送信動作状態とページスキャン動作状態とを切り替える手段を有することを特徴とする無線通信装置。
【請求項４】
電源投入後、無線接続相手が確認されるまでの間、問い合わせスキャン動作状態またはページスキャン動作状態に移行する手段と、前記問い合わせスキャン動作状態から、問い合わせメッセージ送信動作状態に、または前記ページスキャン動作状態からページメッセージ送信動作状態に切り替える切り替え信号入力手段と、一定時間、問い合わせメッセージ送信を行った後、前記問い合わせスキャン動作状態に、またはページメッセージ送信を行った後、前記ページスキャン動作状態に移行する手段を有することを特徴とする請求項３に記載の無線通信装置。
【請求項５】
前記問い合わせメッセージ送信動作状態、前記ページメッセージ送信動作状態、前記問い合わせスキャン動作状態および前記ページスキャン動作状態を表示する表示手段を有することを特徴とする請求項３または４に記載の無線通信装置。
【請求項６】
１台のマスタ無線装置と少なくとも１台のスレーブ無線装置から構成される無線通信システムで無線接続する無線通信装置において、
電源投入後、無線接続相手が確認されるまでの間、一定時間、問い合わせメッセージ送信動作状態の後、問い合わせスキャン動作状態に、またはページメッセージ送信動作状態の後、ページスキャン動作状態に切り替える手段と、前記問い合わせスキャン動作状態から前記問い合わせメッセージ送信動作状態に、または、前記ページスキャン動作状態から前記ページメッセージ送信動作状態に切り替える切り替え信号入力手段を有することを特徴とする無線通信装置。
【発明の詳細な説明】
【０００１】
【発明の属する技術分野】
本発明は、例えば、ユーザーインターフェースの乏しいヘッドセット等の無線通信装置に関する。
【０００２】
【従来の技術】
従来、１台のマスタ無線装置と１台もしくは複数台のスレーブ無線装置から構成される無線通信システム（たとえば、Ｂｌｕｅｔｏｏｔｈ通信システム）が存在する。この無線通信システムにおいて、複数の任意無線装置と接続を試みる無線装置は、接続相手を発見するための問い合わせ手順を常時繰り返すことで、期待の接続相手を検出し、無線リンクを確立する。
【０００３】
図１１に、従来の技術における無線通信装置のＢｌｕｅｔｏｏｔｈ端末の接続処理フローチャートを示す。Ｂｌｕｅｔｏｏｔｈ端末１（ＢＴ１）は複数の任意のＢｌｕｅｔｏｏｔｈ端末との接続を試みるＢｌｕｅｔｏｏｔｈ端末と仮定し、一方Ｂｌｕｅｔｏｏｔｈ端末（ＢＴ２）は固定の通信相手ＢＴ１とのみ接続するＢｌｕｅｔｏｏｔｈ端末であると仮定する。最初、ＢＴ１とＢＴ２はお互いにまだ識別情報も持たず、無線リンクが張られていない状態にある。ここでＢＴ１はマスタデバイスとなるべく、常時問い合わせメッセージを送信し続けることにより、他のＢｌｕｅｔｏｏｔｈ端末の検出を試みる（ＳＭ１）。一方、ＢＴ２はＢＴ１のスレーブデバイスとなるべく、ＢＴ１からの問い合わせメッセージをスキャン（ＳＳ１）した後、問い合わせ応答メッセージを返信する（ＳＳ２）。ＢＴ１はＢＴ２からの問い合わせ応答メッセージを受信すると（ＳＭ２）、ＢＴ２に対しページメッセージを送信することで無線リンクの確立手順（ページング手順）に入る（ＳＭ３）。
【０００４】
一方、ＢＴ２もＢＴ１との無線リンク確立のために、ＢＴ１からのページメッセージをスキャンする（ＳＳ３）、ＢＴ２がページスキャンに成功すると、ＢＴ１に対しページ応答メッセージを返信し（ＳＳ４）、無線リンクを確立する（ＳＳ５）。同様に、ＢＴ１でもＢＴ２からのページ応答メッセージを受信し（ＳＭ４）、ＢＴ２との間の無線リンクが確立する（ＳＭ５）。
【０００５】
これら一連の動作により、ＢＴ１とＢＴ２間のリンクが確立する。
【０００６】
図１２には、ＢＴ１とＢＴ２の状態を時間軸に沿って示している。２１は時間軸を示し、矢印方向に時間が経過している。２２はＢＴ１の状態を示す軸で、２３はＢＴ２の状態を示す軸である。２４は、ＢＴ１が電源を投入した時間、２５はＢＴ２が電源を投入した時間を示す。２６は、ＢＴ１が問い合わせメッセージを送信している状態、２７はＢＴ１がスレーブデバイスＢＴ２からの問い合わせ応答メッセージを受信し、ＢＴ２との接続処理を行っている状態を示す。
【０００７】
２８は、ＢＴ２が、問い合わせ応答メッセージを送信し、ＢＴ１との接続処理を行っている状態を示す。
【０００８】
この図では、ＢＴ１が電源投入した後、しばらくしてＢＴ２の電源投入され、リンク接続処理を行っている。この間、ＢＴ１は問い合わせメッセージを送信し続けている。
【０００９】
【発明が解決しようとする課題】
しかしながら、上記のように、マスタデバイスとスレーブデバイスとの無線接続がすぐに確立されない場合、マスタデバイスは、常に問い合わせメッセージを送信し続けるため消費電力が大きくなり、また、他の無線接続しているデバイスに対して妨害波を出し無線接続を妨げてしまうという問題がある。
【００１０】
本発明は上記問題点を鑑みてなされたものであり、マスタデバイスとスレーブデバイスとの無線接続がすぐにできない場合でも、消費電力の低減と妨害波の低減ができる無線通信装置を提供することを目的とする。
【００１１】
【課題を解決するための手段】
本発明の無線通信装置においては、１台のマスタ無線装置と少なくとも１台のスレーブ無線装置から構成される無線通信システムで無線接続する無線通信装置において、電源投入後、無線接続相手が確認されるまでの間、一定時間間隔で、問い合わせメッセージ送信動作状態またはページメッセージ送信動作状態と、無動作状態とを切り替える手段を有する。
【００１２】
この発明によれば、マスタデバイスとスレーブデバイスとの無線接続がすぐにできない場合でも、消費電力の低減と妨害波の低減ができる無線通信装置が得られる。
【００１３】
【発明の実施の形態】
請求項１記載の発明は、１台のマスタ無線装置と少なくとも１台のスレーブ無線装置から構成される無線通信システムで無線接続する無線通信装置において、電源投入後、無線接続相手が確認されるまでの間、一定時間間隔で、問い合わせメッセージ送信動作状態またはページメッセージ送信動作状態と、無動作状態とを切り替える手段を有することを特徴とする無線通信装置とした。状態を切り替える手段を用いることにより、スレーブ無線装置からの応答メッセージが長時間受信されない場合、マスタ無線装置は問い合わせメッセージ、もしくはページメッセージを送信し続けることなく、消費電力、他無線装置に対する妨害波の軽減ができる、また、ある時間間隔で問い合わせメッセージ送信状態に外部からの入力がなく切り替わることができるので、スレーブ無線装置が使用可能になった場合、自動で接続処理を行うことができる。
【００１４】
請求項２記載の発明は、前記問い合わせメッセージ送信動作状態、前記ページメッセージ送信動作状態、および前記無動作状態を表示する表示手段を有することを特徴とする請求項１に記載の無線通信装置とした。これにより、無線通信装置の状態をユーザーが認識できる。
【００１５】
請求項３記載の発明は、１台のマスタ無線装置と少なくとも１台のスレーブ無線装置から構成される無線通信システムで無線接続する無線通信装置において、電源投入後、無線接続相手が確認されるまでの間、一定時間間隔で問い合わせメッセージ送信動作状態と問い合わせスキャン動作状態とを切り替え、またはページメッセージ送信動作状態とページスキャン動作状態とを切り替える手段を有することを特徴とする無線通信装置とした。これを用いることにより、接続相手が問い合わせメッセージを送信している場合受信することが可能になり、接続相手始動で接続処理ができる。
【００１６】
請求項４記載の発明は、電源投入後、無線接続相手が確認されるまでの間、問い合わせスキャン動作状態またはページスキャン動作状態に移行する手段と、前記問い合わせスキャン動作状態から、問い合わせメッセージ送信動作状態に、または前記ページスキャン動作状態からページメッセージ送信動作状態に切り替える切り替え信号入力手段と、一定時間、問い合わせメッセージ送信を行った後、前記問い合わせスキャン動作状態に、またはページメッセージ送信を行った後、前記ページスキャン動作状態に移行する手段を有することを特徴とする請求項３に記載の無線通信装置とした。これを用いることにより、ユーザーアクションによって、問い合わせメッセージ送信開始ができ、ユーザーが望んだときに接続処理を開始することができる。
【００１７】
請求項５記載の発明は、前記問い合わせメッセージ送信動作状態、前記ページメッセージ送信動作状態、前記問い合わせスキャン動作状態および前記ページスキャン動作状態を表示する表示手段を有することを特徴とする請求項３または４に記載の無線通信装置とした。これを用いることにより、無線通信装置の状態をユーザーが認識できる。
【００１８】
請求項６記載の発明は、１台のマスタ無線装置と少なくとも１台のスレーブ無線装置から構成される無線通信システムで無線接続する無線通信装置において、電源投入後、無線接続相手が確認されるまでの間、一定時間、問い合わせメッセージ送信動作状態の後、問い合わせスキャン動作状態に、またはページメッセージ送信動作状態の後、ページスキャン動作状態に切り替える手段と、前記問い合わせスキャン動作状態から前記問い合わせメッセージ送信動作状態に、または、前記ページスキャン動作状態から前記ページメッセージ送信動作状態に切り替える切り替え信号入力手段を有することを特徴とする無線通信装置とした。これを用いることにより、ユーザーが切り替え信号を入力することにより、ユーザーが望んだときに接続処理を開始させることができる。
【００１９】
以下、本発明の実施の形態について説明する。
【００２０】
（実施の形態１）
図１は、本発明の実施の形態１の無線通信装置の構成図を示す。図１において、電話機１にはＢｌｕｅｔｏｏｔｈ機能が搭載されている。ユーザーが耳に装着して使用するヘッドセット２には、マイクとスピーカーが付属しており、Ｂｌｕｅｔｏｏｔｈ機能が搭載されている。電話機１とヘッドセット２はＢｌｕｅｔｏｏｔｈ接続（無線接続）し、音声接続され、通話が可能になる。３は電話機１とヘッドセット２がＢｌｕｅｔｏｏｔｈ接続されていることを示す点線である。電話回線４は電話機１に接続されている。コネクトボタン５は、電話機１に付属し、電話機１とヘッドセット２との間の音声リンクを接続する時に押される。電話機ＬＥＤ６は、電話機１の状態を示し、例えば、Ｂｌｕｅｔｏｏｔｈ接続処理状態、接続確立状態等の状態を、点滅、点灯、消灯などで表示する。
【００２１】
電話機１は、電話回線４で外部回線と接続されており、受話器を上げてオフフックの状態にし、付属の番号キーで相手先の電話番号を押すことにより、外部に電話をかけることができる。また、コネクトボタン５を押し、ヘッドセットと音声リンク接続し、接続ができたら、番号キーを押し、外部に電話をかけることができる。また、電話がかかってきた場合、コネクトボタン５を押すことにより、ヘッドセット２と電話機１が音声リンク接続され、電話との音声送受信が可能となる。
【００２２】
図２に、同無線通信装置の電話機のブロック構成図を示す。
【００２３】
外部からの電話回線７は、音声等のデータが、入力される回線である。電話回線制御部８は、コネクトボタン５が押下された場合は、音声データをＢｌｕｅｔｏｏｔｈ制御部１０へ配信し、受話器があげられて、オフフック状態を検知した場合は、受話器入出力部９へ音声データを配信する。受話器入出力部９は、マイクとスピーカーを内臓しており、通話ができる。Ｂｌｕｅｔｏｏｔｈ制御部１０は、問い合わせ応答メッセージ送信、ページメッセージ送信、問い合わせスキャン、ページスキャン等のＢｌｕｅｔｏｏｔｈ接続処理の制御を行う。Ｂｌｕｅｔｔｏｏｔｈインターフェース部１１は、Ｂｌｕｅｔｏｏｔｈ接続で送受信されるデータを処理する。コネクトボタン５のコネクトボタン押下検知部１２は、コネクトボタン５が押下された場合、電話回線制御部８に信号を発信し、Ｂｌｕｅｔｏｏｔｈ制御部１０側に電話回線７のデータを送信する制御を行う。オフフック状態検知部１３は、受話器を上げた場合、電話回線制御部８に信号を発信し、受話器入出力部９に電話回線７のデータを送信する制御を行う。
【００２４】
図３に、同無線通信装置のヘッドセットのブロック構成図を示す。
【００２５】
ヘッドセットインターフェース部１５は、マイクからの音声入力、スピーカーからの音声出力を処理する。Ｂｌｕｅｔｏｏｔｈ制御部１６は、問い合わせ応答メッセージ送信、ページメッセージ送信、問い合わせスキャン、ページスキャン等のＢｌｕｅｔｏｏｔｈ接続処理の制御を行う。Ｂｌｕｅｔｏｏｔｈインターフェース部１７は、Ｂｌｕｅｔｏｏｔｈ接続で送受信されるデータを処理する。ＬＥＤ表示部１８は、Ｂｌｕｅｔｏｏｔｈ制御部１６から、Ｂｌｕｅｔｏｏｔｈ接続処理状態の情報を受け取り、その状態によりＬＥＤ表示する。ヘッドセット２のＬＥＤ設置部の図示は省略する。
【００２６】
図４は、同無線通信装置の電話機とヘッドセットとの無線接続処理フローチャート（正常系）である。
【００２７】
Ｂｌｕｅｔｏｏｔｈでの音声リンクはＳＣＯ（Ｓｙｎｃｈｒｏｎｏｕｓ　Ｃｏｎｎｅｃｔｉｏｎ−Ｏｒｉｅｎｔｅｄ　Ｌｉｎｋ）リンクが用いられ、Ｂｌｕｅｔｏｏｔｈ仕様上、データ通信リンクであるＡＣＬ（ＡｓｙｎｃｈｒｏｎｏｕｓＣｏｎｎｅｃｔｉｏｎ−Ｌｅｓｓ　Ｌｉｎｋ）リンクを確立した後に、ＳＣＯリンクを確立する。
【００２８】
以下、ＳＣＯリンク接続確立までの処理について図４を用いて説明する。このフローチャートの処理は、電話機１とヘッドセット２が必ずＢｌｕｅｔｏｏｔｈ無線接続可能な距離に存在する場合の処理である。
【００２９】
まず電話機１のフローチャートを説明する。
【００３０】
電話機１は、電源が投入された場合、ヘッドセット２に問い合わせメッセージを送信する（ＳＴ１）。この時、電話機ＬＥＤ６は１秒間隔で点滅する。
【００３１】
ヘッドセット２からの問い合わせ応答メッセージを受信する（ＳＴ２）。
【００３２】
その後、電話機１はページメッセージをヘッドセット２に送信する（ＳＴ３）。
【００３３】
ＳＴ３で送信したページメッセージの応答メッセージを受信する（ＳＴ４）。
【００３４】
その結果、ＡＣＬリンクが確立状態となる（ＳＴ５）。この時、電話機ＬＥＤ６は点滅を中止し、消灯する。
【００３５】
電話機１でコネクトボタン５がユーザーに押されたか確認する（ＳＴ６）。
【００３６】
コネクトボタン５が押された場合、ＳＴ７に進む。押されていない場合は、ＡＣＬリンク確立状態のままである。
【００３７】
コネクトボタン５がユーザーに押された場合、ＳＣＯリンクの要求をヘッドセット２に送信する（ＳＴ７）。
【００３８】
電話機１とヘッドセット２との音声リンクが確立され、通話が可能になる（ＳＴ８）。この時、電話機ＬＥＤ６は点灯する。
【００３９】
次に、ヘッドセット２のフローチャートを説明する。
【００４０】
ヘッドセット２は電源が投入された場合、問い合わせメッセージスキャンを開始する（ＳＨ１）。
【００４１】
問い合わせメッセージを受信したら問い合わせ応答メッセージを電話機１に送信する（ＳＨ２）。
【００４２】
次にページスキャンを開始する（ＳＨ３）。
【００４３】
ページメッセージを受信したらページ応答メッセージを電話機１に送信する（ＳＨ４）。
【００４４】
その結果、ＡＣＬリンクが確立状態となる（ＳＨ５）。
【００４５】
電話機からのＳＣＯリンク接続要求を受信の確認をする（ＳＨＴ６）。ＳＣＯリンク接続要求が受信されたら、ＳＨ７に進む。ＳＣＯリンク接続要求が受信されなかったら、ＡＣＬリンク確立状態のままである。
【００４６】
その結果、ＳＣＯリンクが確立する（ＳＨ７）。
【００４７】
以上に説明したように、電話機１とヘッドセット２はＢｌｕｅｔｏｏｔｈ接続される。
【００４８】
このＡＣＬリンクの接続処理時間は約５秒以上で、電話がかかってきた場合に、すぐに通話可能な状態にならない。一方、ＡＣＬリンク接続状態から、ＳＣＯリンク接続状態の処理は、１秒もかからない。従って、通常、電話機１とヘッドセット２は電源が入り、ＡＣＬリンクが確立された状態にしておき、すぐに電話を受信できる状態にしておかなければならない。
【００４９】
しかしながら、ヘッドセットの電池寿命を考えると、ヘッドセットを常に電源が入っている状態にするのは難しく、使用頻度が低い時間には電源を切っている状態、又は、電池が切れていてＡＣＬリンクが接続されていない状態にある可能性がある。
【００５０】
そうすると、ＡＣＬリンクを確立しようとしている電話機１は常にヘッドセット２に対して問い合わせメッセージを送信し続けるが、ヘッドセット２は接続可能でない状態が長時間続く場合があり、電話機１が無駄に電力を消費し、また、問い合わせメッセージを送信することにより、他無線接続への妨害波となる可能性がある。
【００５１】
そこで、本発明の実施の形態１の無線通信装置では、電話機１に問い合わせメッセージまたはページメッセージを送信し続けない機能と、問い合わせメッセージまたはページメッセージを送信している状態かを表示する機能を付加し、前記問題を解決する。
【００５２】
図５に同無線通信装置の電話機の無線接続前のフローチャートを示す。
【００５３】
以下、各ステップに従って、フローチャートを説明する。
【００５４】
電話機１は、電源が投入されたら、タイマーを設定する（ＳＴ９）。
【００５５】
問い合わせメッセージを送信する（ＳＴ１０）。この時、電話機１の電話機ＬＥＤ６を２秒間隔で点滅させる。
【００５６】
問い合わせ応答メッセージが受信されたどうかを確認する（ＳＴ１１）。
【００５７】
問い合わせ応答メッセージが受信された場合は、ＳＴ１７へ、受信されなかった場合はＳＴ１２に進む。
【００５８】
ＳＴ１７の処理は図４に示したフローチャートのＳＴ１からの処理になる。
【００５９】
以下、受信されなかった場合について説明する。
【００６０】
タイマー設定から経過した時間ＴがＴｉｍｅｏｕｔ値以上かどうかを判定する（ＳＴ１２）。
【００６１】
ＴがＴｉｍｅｏｕｔ値以下であれば、ＳＴ１０に戻り、問い合わせメッセージを送りつづける。ＴがＴｉｍｅｏｕｔ値より大きければ、タイムアウトになったとみなされ、次ステップに進む。
【００６２】
ＳＴ９で設定したタイマーを解除する（ＳＴ１３）。
【００６３】
再び、タイマーを設定する（ＳＴ１４）。この時に、ＬＥＤを消灯する。
【００６４】
タイマー設定から経過した時間ＴがＴｉｍｅｏｕｔ値以上かどうかを判断する（ＳＴ１５）。
【００６５】
この間は、タイマーがカウントしている以外には、なにも動作していない状態である。
【００６６】
ＳＴ１４で設定したタイマーを解除する（ＳＴ１６）。
【００６７】
その後、ＳＴ９に戻り、問い合わせメッセージを送信開始する。
【００６８】
以上のフローチャートの処理により、接続相手のヘッドセットからの問い合わせ応答メッセージを受信しない限り、Ｔｉｍｅｏｕｔの時間間隔毎に、問い合わせメッセージ送信状態と無動作状態を繰り返す。
【００６９】
以上の説明により、ヘッドセット２が接続不可能な状態の時、電話機１は、問い合わせメッセージを送信し続けないので、消費電力の削減、他無線への妨害波の低減が実現できる。
【００７０】
（実施の形態２）
本発明の実施の形態２では、実施の形態１での電話機１の無動作状態を、問い合わせスキャン状態またはページスキャン状態に置き換え、また、ヘッドセット２から問い合わせメッセージ送信を可能にし、ヘッドセット側から接続処理開始可能にしたものである。
【００７１】
図６は本発明の実施の形態２の無線通信装置のヘッドセットの概観図である。ヘッドセットの付属ボタン１９をユーザーが押下することにより、問い合わせメッセージ送信を開始する。
【００７２】
図７は、同無線通信装置のヘッドセットのブロック構成図である。ヘッドセットインターフェース部１５、Ｂｌｕｅｔｏｏｔｈ制御部１６、Ｂｌｕｅｔｏｏｔｈインターフェース部１７、ＬＥＤ表示部１８は実施の形態１のヘッドセットのブロック構成図で説明している。図６のヘッドセット概観図におけるＬＥＤ設置部の図示は省略する。付属ボタン押下検知部２０は、付属ボタン１９が押下されたのを検知し、Ｂｌｕｅｔｏｏｔｈ制御部１６に信号を送る。
【００７３】
問い合わせメッセージ又はページメッセージを送信している場合は１秒間隔でＬＥＤを点滅、問い合わせスキャン又はページスキャンをしている場合は２秒間隔でＬＥＤを点滅、ＡＣＬ接続確立された場合は消灯、ＳＣＯ接続確立された場合は点灯する。
【００７４】
図８に同無線通信装置の電話機の無線接続前のフローチャートを示す。前記ヘッドセットと接続する実施の形態２の電話機１は、実施の形態１に示している電話機１と同じブロック構成を有しており、図８のフローチャートの処理を行う。
【００７５】
フローチャートに従って、実施の形態２における電話機１の処理のステップを説明する。
【００７６】
電源を投入したら、タイマーを設定する（ＳＴ１８）。
【００７７】
問い合わせメッセージを送信する（ＳＴ１９）。この時電話機ＬＥＤ６は１秒間隔で点滅する。
【００７８】
問い合わせ応答メッセージの受信を確認する（ＳＴ２０）。
【００７９】
受信したらＳＴ２８へ進む。この場合、実施の形態１で示した図４の電話機１のフローチャートにおけるＳＴ３のステップに進む。
【００８０】
問い合わせ応答メッセージを受信しなかった場合、タイマー設定から経過した時間ＴがＴｉｍｅｏｕｔ値以上かどうかを判定する（ＳＴ２１）。
【００８１】
Ｔｉｍｅｏｕｔ値以上になっていない場合は、ＳＴ１９の処理に戻る。
【００８２】
Ｔｉｍｅｏｕｔ値以上になっている場合は、タイマーを解除する（ＳＴ２２）。
【００８３】
タイマーを再び設定する（ＳＴ２３）。
【００８４】
次に、周辺のＢｌｕｅｔｏｏｔｈ機器からの問い合わせメッセージ受信のために待機するため、問い合わせスキャンを実行する（ＳＴ２４）。
【００８５】
この時、電話機ＬＥＤ６は２秒間隔で点滅する。
【００８６】
問い合わせメッセージの受信を確認する（ＳＴ２５）。
【００８７】
問い合わせメッセージが受信されていたら、ＳＴ２９に進む。この場合、実施の形態１で示した図４のヘッドセット２のフローチャートにおけるＳＨ２のステップに進む。
【００８８】
問い合わせメッセージが受信されなかった場合、タイマー設定から経過した時間ＴがＴｉｍｅｏｕｔ値以上か判定する（ＳＴ２６）。
【００８９】
Ｔｉｍｅｏｕｔ値以上になっていない場合は、ＳＴ２４に戻り問い合わせスキャンを実行する。
【００９０】
Ｔｉｍｅｏｕｔ値以上の場合は、タイマーを解除し、ＳＴ１８に戻り、再び、タイマーを設定し、問い合わせメッセージ送信を行う。
【００９１】
図９に、同無線通信装置のヘッドセットの無線接続前のフローチャートを示す。
【００９２】
フローチャートに従って、実施の形態２のヘッドセット２の処理のステップを説明する。
【００９３】
電源を投入したら、問い合わせスキャンを開始する（ＳＨ８）。
【００９４】
問い合わせメッセージの受信を確認する（ＳＨ９）。
【００９５】
問い合わせメッセージを受信していたら、ＳＨ１６に進む。この場合、実施の形態１の図４で示したヘッドセット２のフローチャートにおけるＳＨ２のステップに進む。
【００９６】
問い合わせメッセージを受信していない場合、付属ボタン１９が押下されていないか確認する（ＳＨ１０）。
【００９７】
付属ボタン１９が押下されていない場合は、ＳＨ８に戻り、問い合わせスキャンを行う。
【００９８】
付属ボタンが押下されている場合、タイマーを設定する（ＳＨ１１）。
【００９９】
次に、問い合わせメッセージの送信を開始する（ＳＨ１２）。
【０１００】
問い合わせ応答メッセージの受信を確認する（ＳＨ１３）。
【０１０１】
問い合わせ応答メッセージが受信されたら、ＳＨ１７に進む。この場合、実施の形態１の図４で示した電話機１のフローチャートにおけるＳＴ３のステップに進む。
【０１０２】
問い合わせ応答メッセージが受信されなかった場合、タイマー設定から経過した時間ＴがＴｉｍｅｏｕｔ値以上か判定する（ＳＨ１４）。
【０１０３】
Ｔｉｍｅｏｕｔ値以上になっていない場合は、ＳＨ１２に戻り、再び問い合わせメッセージ送信を行う。
【０１０４】
Ｔｉｍｅｏｕｔ値以上の場合は、タイマーを解除し（ＳＨ１５）、ＳＨ８に戻り、問い合わせスキャンを開始する。
【０１０５】
以上、説明してきた電話機１とヘッドセット２の処理ステップにより、ヘッドセット２はユーザーアクションによって、問い合わせメッセージの送信ができるので、接続処理の過程がユーザーにわかりやすい。また、電話機１は、問い合わせメッセージ送信状態と問い合わせスキャン状態が一定時間毎切り替わるので、ヘッドセット２が問い合わせスキャン状態のままでも、電話機１が問い合わせメッセージ送信状態に切り替わったときにＢｌｕｅｔｏｏｔｈ無線通信可能な範囲に存在すれば、自動で接続処理を開始できる。
【０１０６】
（実施の形態３）
本発明の実施の形態３の無線通信装置について図１０を用いて説明する。
【０１０７】
第１、実施の形態２の無線通信装置では、電話機１の無線接続前の処理状態は、問い合わせメッセージ送信する状態と無動作の状態又は、問い合わせメッセージ送信する状態と問い合わせスキャンの状態を交互に自動で移行していた。
【０１０８】
実施の形態３の無線通信装置では、上記の自動移行をしないで、無線接続前に電話機１のコネクトボタン５を押下することにより、無動作、又は、問い合わせスキャンの処理状態を、問い合わせメッセージ送信状態に移行する。
【０１０９】
図１０に本発明の実施の形態３の電話機の無線接続前のフローチャートを示す。電話機１の構成は、第１、実施の形態２と変わらず、図１０に示すフローチャートの処理を行う。
【０１１０】
以下、各ステップを説明する。
【０１１１】
電源を投入したら、タイマーを設定する（ＳＴ３０）。
【０１１２】
次に問い合わせメッセージ送信を開始する（ＳＴ３１）。
【０１１３】
問い合わせ応答メッセージが受信されたかどうか確認する（ＳＴ３２）。
【０１１４】
問い合わせ応答メッセージが受信されていたら、ＳＴ３６に進む。正常系処理は、実施の形態１における図４に示した電話機１のフローチャートのＳＴ３の処理に進む。
【０１１５】
問い合わせ応答メッセージが受信されていない場合、ＳＴ３３に進む。
【０１１６】
タイマー設定から経過した時間ＴがＴｉｍｅｏｕｔ値以上かどうかを判定する（ＳＴ３３）。
【０１１７】
ＴがＴｉｍｅｏｕｔ値以下であれば、ＳＴ３１に戻り、問い合わせメッセージを送る。ＴがＴｉｍｅｏｕｔ値より大きければ、タイムアウトとみなされ、ＳＴ３４に進む。
【０１１８】
タイムアウトになった場合、タイマーを解除する（ＳＴ３４）。
【０１１９】
次に、コネクトボタン５が押下されていないか確認する（ＳＴ３５）。
【０１２０】
押下されていなければ、ＳＴ３４に戻る。この間は、電話機１は何も接続処理を行っていない無動作状態である。
【０１２１】
また、この無動作状態を、問い合わせメッセージスキャン状態にすることにより、実施の形態２のヘッドセット２からの問い合わせメッセージ送信に応対することができる。
【０１２２】
コネクトボタン５が押下された場合、ＳＴ３０に戻り、再び、タイマーを設定し、問い合わせメッセージを送信する。
【０１２３】
以上説明してきた実施の形態３における電話機１の無線接続前の処理フローチャートにより、電源投入時から一定時間過ぎても、無線接続が確立されなければ、問い合わせメッセージの送信をしなくなり、無駄な電力消費が削減され、また、コネクトボタンの押下というユーザーアクションで問い合わせメッセージ送信開始となり、ユーザーにわかりやすい無線接続処理が可能となる。
【０１２４】
【発明の効果】
以上のように本発明によれば、以下のような効果がある。
【０１２５】
（１）接続相手の無線通信装置からの応答を受け取るまで、一定時間間隔で問い合わせメッセージ送信状態と無動作状態に自動で切り替えることにより、常に問い合わせメッセージ送信を行わず消費電力を低減させることができ、また、ユーザーアクションなしで、問い合わせメッセージ送信を実行でき、乏しいユーザーインターフェースでもよい。
【０１２６】
（２）接続相手の無線通信装置からの応答を受け取るまで、一定時間間隔で問い合わせメッセージ送信状態と問い合わせメッセージスキャン状態に自動で切り替えることにより、接続相手の無線装置からの問い合わせメッセージを受信することができ、接続相手の無線装置始動で、接続処理が行えることができる。
【０１２７】
（３）一定時間、問い合わせメッセージ送信を行った後、無動作状態、もしくは問い合わせメッセージスキャン状態に切り替わり、ユーザーアクションが合ったときに問い合わせメッセージ送信開始することにより、ユーザーにわかりやすい接続処理が行える。
【図面の簡単な説明】
【図１】本発明の実施の形態１の無線通信装置の構成図
【図２】同無線通信装置の電話機のブロック構成図
【図３】同無線通信装置のヘッドセットのブロック構成図
【図４】同無線通信装置の電話機とヘッドセットとの無線接続処理フローチャート（正常系）
【図５】同無線通信装置の電話機の無線接続前のフローチャート
【図６】本発明の実施の形態２の無線通信装置のヘッドセットの概観図
【図７】同無線通信装置のヘッドセットのブロック構成図
【図８】同無線通信装置の電話機の無線接続前のフローチャート
【図９】同無線通信装置のヘッドセットの無線接続前のフローチャート
【図１０】本発明の実施の形態３の電話機の無線接続前のフローチャート
【図１１】従来の技術における無線通信装置のＢｌｕｅｔｏｏｔｈ端末の接続処理フローチャート
【図１２】同無線通信装置の接続処理過程と時間の関係図
【符号の説明】
１　電話機
２　ヘッドセット
５　コネクトボタン
６　電話機ＬＥＤ
８　電話回線制御部
９　受話器入出力部
１０、１６　Ｂｌｕｅｔｏｏｔｈ制御部
１１、１７　Ｂｌｕｅｔｏｏｔｈインターフェース部
１２　コネクトボタン押下検知部
１３　オフフック状態検知部
１４、１８　ＬＥＤ表示部
１５　ヘッドセットインターフェース部
１９　ヘッドセットの付属ボタン
２０　ヘッドセット付属ボタン押下検知部
【図１】
2004072653.tif 000003
【図２】
2004072653.tif 000004
【図３】
2004072653.tif 000005
【図４】
2004072653.tif 000006
【図５】
2004072653.tif 000007
【図６】
2004072653.tif 000008
【図７】
2004072653.tif 000009
【図８】
2004072653.tif 000010
【図９】
2004072653.tif 000011
【図１０】
2004072653.tif 000012
【図１１】
2004072653.tif 000013
【図１２】
2004072653.tif 000014